(57)【特許請求の範囲】
【請求項１】
ハウジングと、
前記ハウジングに結合される制御部と、
前記ハウジングの内部に結合され、前記制御部に連結されるステータ組立体と、
前記ステータ組立体の内側に配置されるローターと、
前記ローターに結合する回転軸と、
前記ハウジングに装着され、センサー装着部を含むボディーと、前記ボディーに含まれて前記センサー装着部と前記制御部と連結されるターミナルと、を含み、前記センサー装着部は、前記ハウジングの外部に配置されるセンサー連結部を含み、
前記ボディーは、第１ボディーと第２ボディーを含み、
前記第１ボディーには、前記ハウジングの前方に露出される前記センサー装着部が配置され、
前記第２ボディーは、前記ハウジングの内部に配置され、前記制御部に直結され、
インレットとアウトレットを備えるシリンダーで往復移動するピストンであって、前記回転軸に連結されるピストンをさらに含み、
前記センサー装着部には圧力センサーが装着され、
前記圧力センサーは、前記回転軸の軸方向に直交する方向から視て、前記ピストンと重なる位置に配置され、
前記第２ボディーの一側端部が前記第１ボディーに結合され、前記第２ボディーの他側端部が前記第１ボディーから第１方向に制御部に向かって延長され、前記ターミナルは、前記第１ボディーと第２ボディーに配置され、
連結ピンをさらに含み、
前記連結ピンは、前記ターミナルと連結されて前記制御部に結合するように前記第２ボディーに形成されるクラッチアクチュエーター。
【請求項２】
前記圧力センサーは、前記回転軸の軸方向から視て、前記ステータ組立体と重なるとともに前記ローターとは重ならない位置に配置される請求項１に記載のクラッチアクチュエーター。
【請求項３】
前記シリンダーは、前記回転軸の軸方向から視て、前記ステータ組立体と重ならない請求項１に記載のクラッチアクチュエーター。
【請求項４】
前記センサー装着部は、前記ターミナルと電気的に連結される第１装着部と第２装着部を含み、
前記第１装着部は、前記回転軸の軸中心に向かって配置され、
前記第２装着部は、前記ボディーの先端に配置され、前記ターミナルと電気的に連結され、
前記センサー連結部は、前記第１装着部に装着される変位センサーを含み、
前記圧力センサーは前記第２装着部に装着される請求項１に記載のクラッチアクチュエーター。
【請求項５】
前記ハウジングは、装着スロットを含み、
前記センサー連結部は前記装着スロットに着脱可能に結合する請求項１に記載のクラッチアクチュエーター。
【請求項６】
前記第１ボディーと前記第２ボディーは、段差となるように連結される請求項１に記載のクラッチアクチュエーター。
【請求項７】
前記第２ボディーは、前記ステータ組立体と前記ハウジングの内側面との間に配置され、前記第２ボディーの厚さは前記第１ボディーの厚さよりも薄い請求項１に記載のクラッチアクチュエーター。
【請求項８】
前記ステータ組立体の電源ターミナルは、前記制御部に直結する請求項１に記載のクラッチアクチュエーター。
【請求項９】
前記ローターは、第１センサーマグネットが一体にモールディングされて結合される請求項１に記載のクラッチアクチュエーター。
【請求項１０】
前記回転軸の後段には、第２センサーマグネットが結合され、前記制御部は、前記第２センサーマグネットに対向配置されるホールセンサーを含む請求項１に記載のクラッチアクチュエーター。
【請求項１１】
前記ステータ組立体は、電源ターミナルと、前記電源ターミナル及びコイルと連結される中性ターミナルと、ベアリングが一体にモールディングされて成形される請求項１に記載のクラッチアクチュエーター。
【請求項１２】
モーターと、
インレットとアウトレットを備えるシリンダーを含むカバーと、
前記モーターの回転軸に連結されて前記シリンダーで往復移動するピストンを含み、
前記モーターは、
ハウジングと、
前記ハウジングに結合される制御部と、
前記ハウジングの内部に結合され、前記制御部に連結されるステータ組立体と、
前記ステータ組立体の内側に配置されるローターと、
前記ローターに結合する回転軸と、
前記ハウジングに装着され、センサー装着部を含むボディーと、前記ボディーに含まれて前記センサー装着部と前記制御部と連結されるターミナルと、を含み、前記センサー装着部は、前記ハウジングの外部に配置されるセンサー連結部を含み、
前記ボディーは、第１ボディーと第２ボディーを含み、
前記第１ボディーには、前記ハウジングの前方に露出される前記センサー装着部が配置され、
前記第２ボディーは、前記ハウジングの内部に配置され、前記制御部に直結され、
前記センサー装着部には圧力センサーが装着され、
前記圧力センサーは、前記回転軸の軸方向に直交する方向から視て、前記ピストンと重なる位置に配置され、
前記第２ボディーの一側端部が前記第１ボディーに結合され、前記第２ボディーの他側端部が前記第１ボディーから第１方向に制御部に向かって延長され、前記ターミナルは、前記第１ボディーと第２ボディーに配置され、
連結ピンをさらに含み、
前記連結ピンは、前記ターミナルと連結されて前記制御部に結合するように前記第２ボディーに形成されるクラッチアクチュエーター。
【請求項１３】
前記センサー装着部は、前記ターミナルと電気的に連結される第１装着部と第２装着部を含み、
前記第１装着部は、前記回転軸の軸中心に向かって配置され、
前記第２装着部は、前記ボディーの先端に配置され、前記ターミナルと電気的に連結される請求項１２に記載のアクチュエーター。
【請求項１４】
前記ピストンは、変位センサーマグネットを含み、
前記センサー連結部は前記第１装着部に装着される変位センサーを含む請求項１３に記載のクラッチアクチュエーター。
【請求項１５】
前記ボディーの先端は、前記アウトレットと連通され、
前記圧力センサーは、前記第２装着部に装着される請求項１３に記載のクラッチアクチュエーター。
【請求項１６】
前記ピストンと前記回転軸を連結するリードスクリューをさらに含む請求項１２に記載のクラッチアクチュエーター。
【請求項１７】
前記カバーは、前記リードスクリューを支持するベアリングを含む請求項１６に記載のクラッチアクチュエーター。
【発明の詳細な説明】
【技術分野】
【０００１】
本発明は、クラッチアクチュエーターに関する。より具体的には、アクチュエーターの状態を測定するセンサー連結部を備えるクラッチアクチュエーターに関する。
【背景技術】
【０００２】
モーターの回転軸は、アクチュエーターと連結されて駆動力を伝達する。このとき、アクチュエーターの特性に応じて、モーターとアクチュエーターは、一体に製作され得る。例えば、同じハウジングにモーターとアクチュエーターを共に具現したり、チューブ型のローターを用いてアクチュエーターの駆動軸とモーターの回転軸が一体化されるように形成し得る。また、アクチュエーターの状態に応じて、モーターを制御する制御モジュールが設けられ得る。
【０００３】
しかし、このような構成のモーターは、チューブ型のローターによってモーターのサイズが大きくなる問題点が発生する。また、制御モジュールには、アクチュエーターの状態を測定するセンサーが連結されるが、センサーを制御モジュールに連結する作業が難解で、連結構造が複雑でセンシング情報についての信頼性が低下する問題点がある。
【０００４】
特に。アクチュエーターの駆動軸とモーターの回転軸が一体に形成されるために、精密な位置制御が難しく、部品交換の互換性が落ちる問題点がある。また、アクチュエーター側から作用する負荷を支持するためにモーター側に大きいサイズのベアリングが設置されてモーターのサイズを増加させる問題点がある。
【発明の概要】
【発明が解決しようとする課題】
【０００５】
本発明は、前述の問題点を解決するためのものであって、アクチュエーターの駆動軸とモーターの回転軸が別個に形成され、モーターのサイズを減らすことができ、センサーを制御モジュールに容易に連結し得るモーター及びこれを含むクラッチアクチュエーターを提供することをその目的とする。
【０００６】
本発明が解決しようとする課題は、以上で言及された課題に限定されず、ここで言及されていない他の課題は、下記の記載から当業者に明確に理解できるであろう。
【課題を解決するための手段】
【０００７】
前記目的を果たすための本発明は、ハウジングと、前記ハウジングに結合される制御部と、前記ハウジングの内部に結合され、前記制御部に連結されるステータ組立体と、前記ステータの内側に配置されるローターと、前記ローターに結合する回転軸と、前記ハウジングに装着され、センサー装着部を含むボディーと、前記ボディーに含まれて前記センサー装着部と前記制御部と連結されるターミナルと、を含み、前記センサー装着部は、前記ハウジングの外部に配置されるセンサー連結部を含むモーターを提供する。
【０００８】
好ましくは、前記センサー装着部は、他の部品が連結される前記ハウジングの前方に配置され得る。
【０００９】
好ましくは、前記制御部は、前記ハウジングの後方に配置され得る。
【００１０】
好ましくは、前記ボディーは、前記ターミナルが前記制御部に電気的に連結されるように前記制御部に直結し得る。
【００１１】
好ましくは、前記センサー装着部は、前記回転軸の軸中心に向かって配置される第１装着部と、前記ボディーの先端に配置される第２装着部を含み得る。
【００１２】
好ましくは、前記第１装着部に装着される変位センサーと前記第２装着部に装着される圧力センサーを含み得る。
【００１３】
好ましくは、前記第２装着部は、前方に向かって入口が形成された結合スロットを含み得る。
【００１４】
好ましくは、前記ハウジングは、前記センサー連結ブロックのボディーが着脱可能に結合する装着スロットを含み得る。
【００１５】
好ましくは、前記ボディーは、前記センサー装着部を含む第１ボディーと、前記装着スロットに挿入されて前記制御部に結合される第２ボディーを含み得る。
【００１６】
好ましくは、前記第１ボディーと前記第２ボディーは、段差となるように連結され得る。
【００１７】
好ましくは、前記第２ボディーの端部には、前記ターミナルと連結されて前記制御部に結合する連結ピンが形成され得る。
【００１８】
好ましくは、前記第２ボディーは、前記ステータ組立体と前記ハウジングの内側面との間に配置され得る。
【００１９】
好ましくは、前記制御部は、前記ハウジングの背面に結合し得る。
【００２０】
好ましくは、前記ステータの電源ターミナルは、前記制御部に直結し得る。
【００２１】
好ましくは、前記ローターは、第１センサーマグネットが一体にモールディングされて結合され得る。
【００２２】
好ましくは、前記回転軸の後段には、第２センサーマグネットが結合され、前記制御部は、前記第２センサーマグネットに対向配置されるホールセンサーを含み得る。
【００２３】
好ましくは、前記ステータ組立体は、電源ターミナルと、前記電源ターミナル及びコイルと連結される中性ターミナルと、ベアリングが一体にモールディングされて成形され得る。
【００２４】
前記目的を果たすための他の発明は、ハウジングと、前記ハウジングに結合される制御部と、前記ハウジングの内部に結合され、前記制御部に連結されるステータ組立体と、前記ステータの内側に配置されるローターと、前記ローターに結合する回転軸と、前記ハウジングに装着され、センサー装着部を含むボディーと、前記ボディーに含まれて前記センサー装着部と前記制御部と連結されるターミナルと、を含み、前記センサー装着部は、前記ハウジングの外部に配置されるモーターと、インレットとアウトレットを備えるシリンダーを含むカバーと、前記回転軸に連結されて前記シリンダーで往復移動するピストンと、を含むクラッチアクチュエーターを提供し得る。
【００２５】
好ましくは、前記センサー装着部は、前記回転軸の軸中心に向かって配置される第１装着部と、前記ボディーの先端に配置される第２装着部を含み得る。
【００２６】
好ましくは、前記ピストンは、変位センサーマグネットを含み、前記第１装着部に装着される変位センサーを含み得る。
【００２７】
好ましくは、前記ボディーの先端は、前記アウトレットと連通され、前記第２装着部に装着される圧力センサーを含み得る。
【００２８】
好ましくは、前記ピストンと前記回転軸を連結するリードスクリューをさらに含み得る。
【００２９】
好ましくは、前記カバーは、前記リードスクリューを支持するベアリングを含み得る。
【発明の効果】
【００３０】
本発明の一実施例によると、装着されたセンサーをハウジングの外部に配置し、ハウジングに装着されて制御部に直接連結されるセンサー連結ブロックを備えることにより、センサーを制御モジュールに連結する構成及び作業を簡素化して組立作業の効率性を高め、センシング情報についての信頼性を高める有利な効果を提供する。
【００３１】
また、本発明の一実施例によると、モーターの回転軸とアクチュエーターの駆動軸を別々に構成して部品の互換性を高める有利な効果を提供する。
【００３２】
また、本発明の一実施例によると、モーターの回転軸とアクチュエーターの駆動軸を別々に構成し、モーターの回転軸を中実体で備えることにより、モーターのサイズを減らすことができる有利な効果を提供する。
【００３３】
また、本発明の一実施例によると、ハウジングの背面を制御部に形成してハウジングと制御部を一体に構成することにより、組立構造を簡素化し、モーターのサイズを減らすことができる有利な効果を提供する。
【００３４】
また、本発明の一実施例によると、アクチュエーターの負荷が作用するベアリングをアクチュエーターに設置し、リードスクリューを支持するように構成してモーターに設置されるベアリングのサイズを相対的に減らすことにより、モーターのサイズを減らすことができる有利な効果を提供する。
【００３５】
また、本発明の一実施例によると、センサー連結ブロックが制御部に直接連結されるようにハウジングに着脱可能に結合されるように構成して組立が容易い有利な効果を提供する。
【図面の簡単な説明】
【００３６】
【図１】本発明の好ましい一実施例によるクラッチアクチュエーターを示した図面。
【図２】図１で図示したモーターを示した図面。
【図３】図２で図示したモーターの分解図。
【図４】図２で図示したモーターの側断面図。
【図５】ハウジングの背面に配置される制御部を示した図面。
【図６】ステータ組立体を示した図面。
【図７】制御部に直結するステータ組立体を示した図面。
【図８】ローターを示した図面。
【図９】対向配置された回転軸のセンサーマグネットと制御部のホールセンサーを示した図面。
【図１０】制御部に連結されるセンサー連結部を示した図面である。
【発明を実施するための形態】
【００３７】
以下、本発明の好ましい実施例を添付された図面を参照して詳しく説明する。本発明の目的、特定の長所及び新規な特徴は、添付された図面と連関する以下の詳細な説明と好ましい実施例からさらに明らかになるであろう。また、本明細書及び特許請求の範囲で使用される用語や単語は、通常的であるか、辞書的な意味に限定して解釈されてはならず、発明者は、自身の発明を最も最善の方法で説明するために用語の概念を適切に定義することができるという原則に立脚して、本発明の技術的思想に符合する意味と概念に解釈されるべきである。また、本発明を説明することにおいて、本発明の要旨を不必要に曖昧にし得る関連した公知の技術についての詳細な説明は略する。
【００３８】
第２、第１などのように序数を含む用語は、様々な構成要素を説明するために使用することができるが、前記構成要素は、前記用語によって限定されない。前記用語は、一つの構成要素を他の構成要素から区別する目的だけで使用される。例えば、本発明の権利範囲を逸脱しない範囲で第２構成要素は、第１構成要素として命名することができ、同様に第１構成要素も第２構成要素として命名することができる。及び／またはという用語は、複数の関連する記載項目の組み合わせまたは複数の関連する記載項目の中のいずれかの項目を含む。
【００３９】
図１は、本発明の好ましい一実施例によるクラッチアクチュエーターを示した図面である。図１は、本発明を概念的に明確に理解するために、主要特徴の部分のみを明確に図示したものであり、その結果、図解の様々な変形が予想され、図面に図示された特定の形状により、本発明の範囲が制限される必要はない。
【００４０】
図１を参照すると、本発明の好ましい一実施例によるクラッチアクチュエーターは、モーター１０と、カバー２０と、ピストン３０と、リードスクリュー４０を含み得る。モーター１０が作動すると、リードスクリュー４０が回転し、リードスクリュー４０が回転するによってピストン３０が直線移動するようになる。カバー２０の内側には、流体の収容空間Ｓが設けられ、ピストン３０は、この収容空間Ｓに位置する。また、カバー２０には、収容空間Ｓと連通されるインレット２１とアウトレット２２が形成され得る。インレット２１を通じて収容空間Ｓに作動流体が供給され、アウトレット２２を通じて収容空間Ｓから作動流体が排出される。ピストン３０に押されてアウトレット２２に排出される作動流体は、車両に装着されたクラッチを作動させ得る。一方、リードスクリュー４０には、変位センサーマグネット５０が設置され得る。
【００４１】
図２は、図１で図示したモーターを示した図面であり、図３は、図２で図示したモーターの分解図であり、図４は、図２で図示したモーターの側断面図である。これらの図２ないし図４は、本発明を概念的に明確に理解するために、主要特徴の部分のみを明確に図示したものであり、その結果、図解の様々な変形が予想され、図面に図示された特定の形状により、本発明の範囲が制限される必要はない。
【００４２】
図１ないし図４を参照すると、本発明の好ましい一実施例によるモーター１０は、ハウジング１００と、制御部２００と、ステータ組立体３００と、ローター４００と、回転軸５００と、センサー連結部６００と、を含み得る。
【００４３】
ハウジング１００は、円筒形状に形成されて内部にステータ組立体３００とローター４００などが装着され得る空間が設けられる。ハウジング１００は、カバー２０と締結されるように形成し得る。このとき、ハウジング１００の形状や材質は、様々に変形され得るが、車両に装着される特性上、高温でもよく耐えることができる金属材質が選択され得る。例えば、ハウジング１００の一部、すなわち、アクチュエーターが連結されるハウジング１００の前面側がアルミニウムからなり得る。または、ハウジング１００の全体がアルミニウムからなり得る。
【００４４】
ハウジング１００の前面側には、アクチュエーターが結合され、ハウジング１００の背面側には、制御部２００が結合され得る。また、ハウジング１００の前面には、センサー連結部６００が着脱可能に挿入される装着スロット１１０が形成され得る。
【００４５】
ハウジング１００の中心には、回転軸５００が位置し、リードスクリュー４０が連結される空間を形成する中心ホール１１１が設けられ、装着スロット１１０は、この中心ホール１１１の下側に形成され得る。
【００４６】
制御部２００は、センサー連結部６００から受信したアクチュエーターの状態と外部駆動信号に基づいてモーター１０の駆動を制御する。このような制御部２００は、ハウジング１００の後方に配置されてハウジング１００の背面カバーとして構成されてハウジングと一体に形成され得る。
【００４７】
図５は、ハウジングの背面に配置される制御部を示した図面である。
【００４８】
図５を参照すると、ハウジング１００の背面には、ハウジングターミナル１２０が設けられ得る。このハウジングターミナル１２０は、ハウジング１００の角の領域に配置され得る。ハウジングターミナル１２０は、外部電源と電気的に連結され得る。一方、このようなハウジングターミナル１２０に対応して制御部２００の角の領域には、ターミナル挿入部２１０が設けられ得る。ハウジングターミナル１２０がターミナル挿入部２１０に挿入されるようにハウジング１００の背面に制御部２００が結合され得る。
【００４９】
ステータ組立体３００は、ステータコア（図４の３００ａ）を含み、ステータコア３００ａは、回転磁界を形成するコイル（図４の３００ｂ）が巻線され得る。ステータコア３００ａに巻かれたコイル３００ｂは、絶縁体（図４の３００ｃ）が包んでいるため絶縁し得る。
【００５０】
図６は、ステータ組立体を示した図面である。
【００５１】
図６を参照すると、ステータ組立体３００は、内部にバスバーとベアリングを含む形態で実施され得る。ステータ組立体３００は、電源ターミナル３１０と中性ターミナル３２０の接続端が外部に露出されるように、ステータコア（図４の３００ａ）と、コイル３００ｂと、絶縁体３００ｃと共にモールディングされて一体に成形され得る。中心部にベアリングＢ２も共にモールディングされて一体に成形され得る。電源ターミナル３１０の一側の接続端は、半径方向に拡張されて中性ターミナル３２０とフュージングされて連結され得る。また、電源ターミナル３１０の他側の接続端は、上向きに突出形成されて制御部２００に直結し得る。
【００５２】
図７は、制御部に直結するステータ組立体を示した図面である。
【００５３】
図７を参照すると、上向きに突出形成された３相の電源ターミナル３１０が制御部２００のＢ領域にそれぞれ挿入された後、ソルダリングを通じて固定されて組立され得る。
【００５４】
図８は、ローターを示した図面である。
【００５５】
ローター４００は、ステータ組立体３００の内側に回転可能に配置される。ローター４００は、ローターコア４１０にマグネット４２０が装着されてステータ組立体３００との電磁気的相互作用によって回転する。例えば、ステータ組立体３００は、コイルが巻かれて磁極を持つようになり、コイルの巻線によって形成される磁界によってローター４００が回転し得る。ローター４００の中央部には、回転軸５００が結合され得る。したがって、ローター４００が回転する場合、回転軸５００も共に回転する。
【００５６】
ローター４００は、ローターコア４１０の内部にマグネット４２０が含まれる形態で実施されるか、図８に示すように、ローターコア４１０の外周面にマグネット４２０が付着する形態で実施され得る。また、回転軸５００の一側の先端には、センサーマグネット５１０が設置され得る。センサーマグネット５１０は、モーター１０の回転速度を測定するためのものである。一方、回転軸５００の他側の先端には、リードスクリュー（図１の４０）との連結のためのスプライン溝５２０が形成され得る。
【００５７】
これらの方式でローターコア４１０にマグネット４２０が装着され、回転軸５００にセンサーマグネット５１０が装着された後、プラスチックでオーバーモールディングして回転軸５００が結合されたローター４００を成形し得る。
【００５８】
図９は、対向配置された回転軸のセンサーマグネットと制御部のホールセンサーを示した図面である。
【００５９】
図９を参照すると、制御部２００には、ホールセンサー２２０が設けられ、センサーマグネット５１０がホールセンサー２２０に対向配置される。制御部２００は、ホールセンサー２２０を介してモーター１０の回転速度をすぐに測定し得る。
【００６０】
図１０は、制御部に連結されるセンサー連結部を示した図面である。
【００６１】
図２、図４及び図１０を参照すると、センサー連結部６００は、アクチュエーターが装着されるハウジング１００の前方に設置されるセンサーの測定情報をハウジング１００の後方に配置された制御部２００に伝達する役割をする。また、センサー連結部６００は、ハウジング１００の前方でアクチュエーターの状態を容易く測定し得るセンシング空間を確保する役割をする。
【００６２】
このようなセンサー連結部６００は、ボディー６１０とターミナル６２０を含み得る。
【００６３】
ボディー６１０は、センサーが位置するハウジング１００の前方と制御部２００が位置するハウジング１００の後方を空間的に連結させる役割をする。このようなボディー６１０は、大きく第１ボディー６１０Ａと第２ボディー６１０Ｂからなり得る。第１ボディー６１０Ａと第２ボディー６１０Ｂは、段差となるように連結され得、その形状及び機能的特性に応じて区分されて説明され得るのみで、相互連結された一つの手段であり得る。
【００６４】
第１ボディー６１０Ａと第２ボディー６１０Ｂは、六面体型のブロックで実施され得る。また、センサー連結部６００が装着スロット１１０を介してハウジング１００に結合されたとき、第１ボディー６１０Ａは、ハウジング１００の前方に露出される部分であり、第２ボディー６１０Ｂは、ハウジング１００の内部に位置する部分である。
【００６５】
第１ボディー６１０Ａには、センサー装着部６１１が設けられ得る。センサー装着部６１１は、第１装着部６１１ａと、第２装着部６１１ｂを含み得る。
【００６６】
第１装着部６１１ａは、回転軸５００の軸中心を向くように第１ボディー６１０Ａの上面に配置され得る。第１装着部６１１ａは、ターミナル６２０と電気的に連結され得る。
【００６７】
第１装着部６１１ａには、変位センサー７００が装着され得る。変位センサー７００は、リードスクリュー４０に付着した変位センサーマグネット５０と相互作用してピストン３０の位置を感知し得る。
【００６８】
第２装着部６１１ｂは、第１ボディー６１０Ａの先端に配置され得る。また、第２装着部６１１ｂは、ターミナル６２０と電気的に連結され得る。
【００６９】
第２装着部６１１ｂは、前方に向かって入口が形成された結合スロット（図２の６１１ｂａ）のような形態で実施され得る。このような第２装着部６１１ｂには、圧力センサー８００が装着され得る。圧力センサー８００は、図１に示すように、作動流体が排出されるアウトレット２２に連結されてクラッチに供給される油圧を感知する。
【００７０】
第２ボディー６１０Ｂは、ステータ組立体３００とハウジング１００の内側面との間に位置し得る。このために、第２ボディー６１０Ｂは、第１ボディー６１０Ａよりも薄い厚さに構成され得る。また、第２ボディー６１０Ｂは、制御部２００に物理的に連結され得る。
【００７１】
第２ボディー６１０Ｂの端部には、ターミナル６２０と連結されて制御部２００の連結端子に挿入される連結ピン６１０Ｂａが形成され得る。
【００７２】
ターミナル６２０は、第１ボディー６１０Ａと第２ボディー６１０Ｂの内部に配置されて第１装着部６１１ａ及び第２装着部６１１ｂと連結ピン６１０Ｂａと連結される。このようなターミナル６２０は、変位センサー７００で測定されたリードスクリュー４０の位置情報と、圧力センサー８００で測定された作動流体の圧力情報を制御部２００に送信する。
【００７３】
このようなセンサー連結部６００は、ハウジング１００に挿入されて制御部に直結する型で着脱可能に結合されて変位センサー７００や圧力センサー８００のようなセンサーを制御部２００に簡単な構成で連結させることができるようになる。また、センサー連結部６００は、ハウジング１００に装着された状態でカバー２０の内側に位置するために防塵、防水についての信頼性を高めることができる。
【００７４】
以上で、本発明の好ましい一つの実施例によるモーター及びこれを含むクラッチアクチュエーターについて添付された図面を参照して具体的に説明した。
【００７５】
以上の説明は、本発明の技術思想を例示的に説明したものに過ぎず、本発明が属する技術分野で通常の知識を有する者であれば、本発明の本質的な特性から脱しない範囲内で様々な修正、変更及び置換が可能であろう。したがって、本発明に開示された実施例及び添付された図面は、本発明の技術思想を限定するためのものではなく説明するためのものであり、これらの実施例及び添付された図面によって本発明の技術思想の範囲が限定されるものではない。本発明の保護範囲は、下記の請求範囲によって解釈すべきであり、それと等しい範囲内にあるすべての技術思想は、本発明の権利範囲に含まれるものと解釈すべきである。
【符号の説明】
【００７６】
１０：モーター
２０：カバー
２１：インレット
２２：アウトレット
３０：ピストン
４０：リードスクリュー
５０：変位センサーマグネット
１００：ハウジング
１１０：装着スロット
１１１：中心ホール
１２０：ハウジングターミナル
２００：制御部
２１０：ターミナル挿入部
２２０：ホールセンサー
３００：ステータ組立体
３００ａ：ステータコア
３００ｂ：コイル
３００ｃ：絶縁体
３１０：電源ターミナル
３２０：中性ターミナル
４００：ローター
４１０：ローターコア
４２０：マグネット
５００：回転軸
５１０：センサーマグネット
５２０：スプライン溝
６００：センサー連結部
６１０：ボディー
６１０Ａ：第１ボディー
６１０Ｂ：第２ボディー
６１１：センサー装着部
６１１ａ：第１装着部
６１１ｂ：第２装着部
６２０：ターミナル
７００：変位センサー
８００：圧力センサー
【図１】
0006793124.tif 000002
【図２】
0006793124.tif 000003
【図３】
0006793124.tif 000004
【図４】
0006793124.tif 000005
【図５】
0006793124.tif 000006
【図６】
0006793124.tif 000007
【図７】
0006793124.tif 000008
【図８】
0006793124.tif 000009
【図９】
0006793124.tif 000010
【図１０】
0006793124.tif 000011